(57)【要約】【課題】ＨＤＤ交換作業時にフレキシブルケーブルに外力が働いても、フレキシブルケーブルが回路基板コネクタから外れないようにする。【解決手段】フレキシブルケーブル２０は、その長手方向と平行に幅Ｂの長穴２０ｈが開口されている。フレキシブルケーブル保持部材５の水平面５ｃには直径φＤの突起部５ａが形成され、突起部５ａの頂部５ｂは筐体１０の前面に平行な方向の幅がＷであり、長穴２０ｈの幅Ｂより大きく、それと直行する方向の幅はφＤあるいはそれ以下である。また、フレキシブルケーブル２０の長穴２０ｈの幅Ｂは、突起部５ａの直径φＤより大きい。突起部の頂部の長手方向とフレキシブルケーブルの長穴が略平行になるようにして突起部を長穴に挿入し、フレキシブルケーブルを突起部の底部を中心に約９０°回転させることにより、フレキシブルケーブルを保持部材に固定する。【選択図】図４
2010287295.tif 000002
【特許請求の範囲】
【請求項１】
筐体と、前記筐体前面にあって開閉可能な筐体扉と、前記筐体扉の背後にあって前記筐体から引き出し可能なブラケットと、前記ブラケット内に保持されるハードディスクドライブと、前記筐体内部に配置される回路基板とを有し、前記ハードディスクドライブの前記筐体扉側に設けたコネクタと前記回路基板のコネクタを、フレキシブルケーブルのコネクタで接続するハードディスクドライブ記録装置において、
前記フレキシブルケーブルにその長手方向に沿って長穴を設けるとともに、前記筐体に前記フレキシブルケーブルの長穴を貫く突起部を有する保持部材を設け、前記フレキシブルケーブルの長穴の回路基板側端部から当該フレキシブルケーブルの回路基板側コネクタまでの長さをＬとし、前記保持部材の突起部の回路基板側端部から前記回路基板のコネクタまでの長さをＳとしたとき、Ｌ＞Ｓの関係を有することを特徴とするハードディスクドライブ記録装置。
【請求項２】
前記突起部は頂部を有し、前記頂部の前記筐体前面と平行な方向の幅は前記長穴の幅よりも大きく、前記方向と直交する方向の幅は前記長穴の幅よりも小さく、前記フレキシケーブルを前記突起部を介して前記保持部材に固定した後、前記突起部の頂部により前記フレキシケーブルが前記突起部から抜けるのを防止することを特徴とする請求項１記載のハードディスクドライブ記録装置。
【請求項３】
前記突起部の頂部の前記筐体前面と平行な方向の幅をＡとし、前記突起部の底部の幅をＣとし、前記フレキシブルケーブルの長穴の幅をＢとしたとき、Ａ＞Ｂ＞Ｃの関係を有することを特徴とする請求項１記載のハードディスクドライブ記録装置。
【請求項４】
前記突起部の頂部の長手方向と前記フレキシブルケーブルの長穴が略平行になるようにして前記突起部を前記長穴に挿入し、前記フレキシブルケーブルを前記突起部の底部を中心に約９０°回転させることにより、前記フレキシブルケーブルを前記保持部材に固定することを特徴とする請求項３記載のハードディスクドライブ記録装置。
【請求項５】
前記ハードディスクドライブのコネクタと前記フレキシブルケーブルのコネクタを外して、前記ハードディスクドライブを前記ブラケットを介して前記筐体前面から引き出したとき、前記突起部と前記回路基板のコネクタとの間のフレキシブルケーブルは弛みを有していることを特徴とする請求項１記載のハードディスクドライブ記録装置。
【発明の詳細な説明】
【技術分野】
【０００１】
本発明は、ハードディスクドライブ記録装置に係り、特に本体とハードディスクドライブを接続するフレキシブルケーブルの固定構造に関する。
【背景技術】
【０００２】
近年のハードディスクドライブ記録装置（以下ＨＤＤ記録装置と略す）はサービス性を考慮して、本体の筐体を分解することなくＨＤＤの交換作業や入替え作業が可能となるよう、本体前面部に開閉可能な扉を設け、この扉を開けることによりＨＤＤの交換作業や入替え作業が出来るよう構成されている。
【０００３】
ここで、従来のＨＤＤ記録装置について、図１２、図１３、図１４を用いて説明する。図１２は、従来からあるＨＤＤ記録装置の第一の例の側面概略断面図である。ＨＤＤ４は外装筐体である筐体１で覆われ、ＨＤＤ４と回路基板３がフレキシブルケーブル２によりコネクタ部２ａ、２ｂで接続されている。この例ではフレキシブルケーブル２が筐体奥に配置されるため、上述したＨＤＤ４の交換作業や入替え作業を行うには筐体１を分解する必要がある。
【０００４】
図１３は、従来からあるＨＤＤ記録装置の第二の例の側面概略断面図である。ＨＤＤ４は外装筐体である筐体１で覆われ、ＨＤＤ４と回路基板３が回路基板コネクタ部２ｃで直接接続されており、装置の前面部１ａには筐体扉１ｂが開閉可能に設けられている。ＨＤＤ４は筐体扉１ｂから容易に交換作業や入替作業を行うことができる構成となっているが、ＨＤＤ４を筐体内部へ入れる際にそのＨＤＤ４を回路基板コネクタ部２ｃへ精度良く導くためのガイド部材をＨＤＤ４および筐体内部へそれぞれ設けなくてはならず、装置が複雑化し、コスト的にも高価となっている。
【０００５】
図１４は、従来からあるＨＤＤ記録装置の第三の例の側面概略断面図を示す。ＨＤＤ４は外装筐体である筐体１で覆われ、ＨＤＤ４は装置前面側でフレキシブルケーブル２により回路基板３と接続されており、筐体前面部１ａには筐体扉１ｂが開閉可能に設けられている。ＨＤＤ４は筐体扉１ｂを開けて容易にフレキシブルケーブル２の取り外しやＨＤＤ４の交換作業や入替作業を行うことができる構成としており、装置の簡素化および安価な装置となっている。上述したようにＨＤＤ４は装置前面側にＨＤＤコネクタ部２ａを配置すれば装置の構成の簡素化を実現できＨＤＤ４の交換作業や入替作業が容易に出来る。
【０００６】
このような装置内の可動部にフレキシブルケーブルを設け、可動部の移動に伴うフレキシブルケーブルの弛みを制御する構造として、例えば、特許文献１に記載される構造がある。特許文献１には、可動部と固定基板とを接続するフレキシブルケーブルの弛み部分の一端が前記可動部に取り付けられており、他端は前記可動部と反対方向に延びるように支持されており、前記可動部が固定基板側に近付くとき前記フレキシブルケーブルが横向きＵ字形を形成するように弛むように構成することが記載されている。これにより、装置を簡単に組み立てることができ、大きいスペースを必要とすることのないフレキシブルケーブルの弛み構造を提供することができるとしている。
【先行技術文献】
【特許文献】
【０００７】
【特許文献１】特開２００２−２１７５６３号公報
【発明の概要】
【発明が解決しようとする課題】
【０００８】
上記第三の例のＨＤＤ記録装置において、ＨＤＤ交換作業時に、フレキシブルケーブル２を２ｅの位置まで引き出す必要がある。このときフレキシブルケーブル２に力Ｆをかけてしまった場合は、回路基板コネクタ部２ｂの電気的接続が外れる可能性がある。また回路基板コネクタ部２ｂは装置の内部にあるため、作業者がＨＤＤ交換作業時に目視で確認することが困難であり、そのまま交換作業が終了してしまった場合、作業後の確認において動作不良となる。特許文献１に記載された構造においても、可動部を移動することによりフレキシブルケーブルに力をかけてしまった場合、固定基板側の電気的接続が外れる可能性がある。
【０００９】
本発明の目的は、装置前面からＨＤＤの交換可能なＨＤＤ記録装置において、ＨＤＤ交換作業の際にＨＤＤコネクタと回路基板コネクタを接続するフレキシブルケーブルに外力がかかっても、回路基板コネクタから電気的接続が失われることを防止するフレキシブルケーブル固定構造を提供することである。
【課題を解決するための手段】
【００１０】
上記目的を達成するために、本発明のハードディスクドライブ記録装置においては、筐体と、前記筐体前面にあって開閉可能な筐体扉と、前記筐体扉の背後にあって前記筐体から引き出し可能なブラケットと、前記ブラケット内に保持されるハードディスクドライブと、前記筐体内部に配置される回路基板とを有し、前記ハードディスクドライブの前記筐体扉側に設けたコネクタと前記回路基板のコネクタを、フレキシブルケーブルのコネクタで接続するハードディスクドライブ記録装置において、
前記フレキシブルケーブルにその長手方向に沿って長穴を設けるとともに、前記筐体に前記フレキシブルケーブルの長穴を貫く突起部を有する保持部材を設け、前記フレキシブルケーブルの長穴の回路基板側端部から当該フレキシブルケーブルの回路基板側コネクタまでの長さをＬとし、前記保持部材の突起部の回路基板側端部から前記回路基板のコネクタまでの長さをＳとしたとき、Ｌ＞Ｓの関係を有することを特徴とする。
【００１１】
前記突起部は頂部を有し、前記頂部の前記筐体前面と平行な方向の幅は前記長穴の幅よりも大きく、前記方向と直交する方向の幅は前記長穴の幅よりも小さく、前記フレキシケーブルを前記突起部を介して前記保持部材に固定した後、前記突起部の頂部により前記フレキシケーブルが前記突起部から抜けるのを防止する。
【００１２】
前記突起部の頂部の前記筐体前面と平行な方向の幅をＡとし、前記突起部の底部の幅をＣとし、前記フレキシブルケーブルの長穴の幅をＢとしたとき、Ａ＞Ｂ＞Ｃの関係を有する。
【００１３】
前記突起部の頂部の長手方向と前記フレキシブルケーブルの長穴が略平行になるようにして前記突起部を前記長穴に挿入し、前記フレキシブルケーブルを前記突起部の底部を中心に約９０°回転させることにより、前記フレキシブルケーブルを前記保持部材に固定する。
【００１４】
前記ハードディスクドライブのコネクタと前記フレキシブルケーブルのコネクタを外して、前記ハードディスクドライブを前記ブラケットを介して前記筐体前面から引き出したとき、前記突起部と前記回路基板のコネクタとの間のフレキシブルケーブルは弛みを有している。
【発明の効果】
【００１５】
本発明によれば、ＨＤＤ交換作業時にフレキシブルケーブルに外力が働いても、フレキシブルケーブルが回路基板コネクタから外れることはない。
【図面の簡単な説明】
【００１６】
【図１】実施例によるＨＤＤ記録装置の正面図である。
【図２】実施例によるＨＤＤ記録装置の部分斜視図である。
【図３】実施例によるＨＤＤ記録装置のＨＤＤ取り付け構造の分解斜視図である。
【図４】実施例によるＨＤＤ記録装置のフレキシブルケーブル取り付け構造の分解斜視図である。
【図５】実施例によるＨＤＤ記録装置のフレキシブルケーブルの平面図である。
【図６Ａ】実施例によるＨＤＤ記録装置のフレキシブルケーブル保持部材の構成を示す正面図である。
【図６Ｂ】フレキシブルケーブル保持部材の斜視図である。
【図７Ａ】実施例によるＨＤＤ記録装置のフレキシブルケーブルの取り付け方法を説明するための平面図である。
【図７Ｂ】フレキシブルケーブルの取り付け方法を説明するための斜視図である。
【図８】実施例によるＨＤＤ記録装置のフレキシブルケーブルを取り付けた状態の平面図である。
【図９Ａ】実施例によるＨＤＤ記録装置のＨＤＤの取り出し方法を説明するための図で、フレキシブルケーブルのコネクタをＨＤＤ接続部から外した状態の斜視図である。
【図９Ｂ】ＨＤＤを装置から取り出した状態の斜視図である。
【図１０】実施例によるＨＤＤ記録装置のＨＤＤを取り出した状態のフレキシブルケーブルの平面図である。
【図１１】実施例によるＨＤＤ記録装置のフレキシブルケーブルを接続した状態とＨＤＤ接続部から外した状態の側面模式図である。
【図１２】従来のＨＤＤ記録装置の第一の例の側面概略図である。
【図１３】従来のＨＤＤ記録装置の第二の例の側面概略図である。
【図１４】従来のＨＤＤ記録装置の第三の例の側面概略図である。
【発明を実施するための形態】
【００１７】
本発明の一実施例によるハードディスクドライブ記録装置（以下ＨＤＤ記録装置と略す）を図１から図１１を用いて説明する。図１はＨＤＤ記録装置の正面図を示し、図２はＨＤＤ記録装置の部分斜視図を示す。
【００１８】
ＨＤＤ記録装置４０は外装筐体である筐体１０で覆われ、装置の前面部１０ａには筐体扉１０ｂが設けられ、図示しない機構により開閉または取り外し可能な構成となっている。筐体内部に実装されている回路基板３０は、外部から転送されてくる信号（例えば映像信号）をＨＤＤ４０に適合するように変換する信号処理回路等を搭載している。回路基板３０とＨＤＤ４０は、フレキシブルケーブル２０の回路基板側コネクタ２０ｂを回路基板コネクタ３０ａに接続し、フレキシブルケーブル２０のＨＤＤ側コネクタ２０ａをＨＤＤコネクタ４０ａに接続することにより、それぞれ電気的に接続されている。
【００１９】
図３はＨＤＤ４０の取り付け構造の分解斜視図を示す。ＨＤＤ４０はブラケット６へネジ８により締結され、固定部材７は弾性部材１１を介してネジ１０でシャシ１０ｃへ締結される。前記固定部材７の本体後面側に穴部７ｂが設けられ、前記ブラケット６に設けられたガイド部６ｂを、前記固定部材７の穴部７ｂへ矢印Ａ方向に挿入する。このときブラケット６の両側面に設けられた位置決め部６ａは、固定部材７のレール部７ａに載置される。ブラケット６と固定部材７はネジ１２により締結される。すなわちネジ１２を取り外すことで、ブラケット６に締結された状態のままＨＤＤ４０を取り外し可能な構造としている。
【００２０】
次にフレキシブルケーブル２０の固定方法について図４乃至図８を用いて説明する。図４はフレキシブルケーブル２０の取り付け構造部の分解斜視図、図５はフレキシブルケーブル２０の平面図、図６Ａはフレキシブルケーブル保持部材の正面図、図６Ｂはフレキシブルケーブル保持部材の斜視図、図７Ａはフレキシブルケーブル２０の取り付け方法を説明するための平面図、図７Ｂはフレキシブルケーブル２０の取り付け方法を説明するための斜視図、図８はフレキシブルケーブルを取り付けた状態の平面図である。
【００２１】
図４及び図５に示すように、フレキシブルケーブル保持部材５は、筐体１０に形成された保持部１０ｄに取り付けられ、フレキシブルケーブル２０は、その略長手方向と平行に幅Ｂの長穴２０ｈが開口されている。図４、図６Ａ及び図６Ｂに示すように、フレキシブルケーブル保持部材５の水平面５ｃには直径φＤの突起部５ａが形成され、突起部５ａの頂部５ｂは筐体１０の前面に平行な方向の幅がＷであり、長穴２０ｈの幅Ｂより大きく（Ｗ＞Ｂ）、それと直行する方向の幅はφＤあるいはそれ以下である。また、フレキシブルケーブル２０の長穴２０ｈの幅Ｂは、突起部５ａの直径φＤより大きくなっている（Ｂ＞φＤ）。したがって、突起部５ａはフレキシブルケーブル２０の長穴２０ｈを貫通するようになっている。また、突起部頂部５ｂの下面と水平面５ｃとの間隙ｇは、フレキシブルケーブル２０の厚さより大きい。
【００２２】
次に、フレキシブルケーブル２０のフレキシブルケーブル保持部材５への取り付け方法について図７Ａ、図７Ｂを用いて説明する。フレキシブルケーブル保持部材５の突起部頂部５ｂの長手方向と、フレキシブルケーブル２０の長穴２０ｈが略平行になるようにして、フレキシブルケーブル保持部材５の突起部５ａを、フレキシブルケーブル２０の長穴２０ｈへ挿入する（図７Ａの実線の位置）。次に、フレキシブルケーブル２０を隙間ｇで突起部５ａの軸を中心に９０°回転させる（図７Ａの２点鎖線の位置）。次に、フレキシブルケーブル２０の回路基板側コネクタ２０ｂを回路基板コネクタ３０ａに接続し、また、フレキシブルケーブル２０のもう一方のＨＤＤ側コネクタ２０ａをＨＤＤコネクタ４０ａに接続する。
【００２３】
これによりフレキシブルケーブル２０は突起部５ａの中心軸方向へ抜けることがなく、フレキシブルケーブル２０の略長手方向（図７Ｂに示す矢印ＣまたはＤ方向）へのみ自在に移動できる。但し、フレキシブルケーブル２０は、フレキシブルケーブル２０の長穴２０ｈの端部２０ｇと、もう一方の他端部２０ｊと、フレキシブルケーブル保持部材５の突起部５ａが当接するまで移動可能である。
【００２４】
また、図５に示すフレキシブルケーブル２０の長穴２０ｈの回路基板側端部２０ｇから回路基板側コネクタ２０ｂまでの長さＬは、図８に示す回路基板コネクタ３０ａからフレキシブルケーブル保持部材５の突起部５ａの回路基板側端部までの距離Ｓより長く（Ｌ＞Ｓ）している。
【００２５】
次に、ＨＤＤの取り外し方法について図９Ａ乃至図１１を用いて説明する。図９Ａはフレキシブルケーブル２０のＨＤＤ側コネクタ２０ａを外した状態の斜視図、図９ＢはＨＤＤ４を装置から外した状態の斜視図、図１０はＨＤＤ４を装置から外した状態のフレキシブルケーブルの平面図、図１１はＨＤＤ記録装置のフレキシブルケーブルを接続した状態とＨＤＤコネクタから外した状態の側面模式図である。
【００２６】
ＨＤＤ４を取り出すには筐体前面の扉１０ｂを取り外し、図９Ａ、図９Ｂに示すように、フレキシブルケーブル２０のＨＤＤ側コネクタ２０ａの接続を外し、次にネジ１２を取り外し、前述したＨＤＤの取り付け構造により、ＨＤＤ４はブラケット６と共に筐体外へ取り出し可能である。
【００２７】
このＨＤＤ４の取り外し時に、図１０および図１１に示すフレキシブルケーブル２０をその長手方向（図７Ｂ中の矢印Ｄ方向）へ引き抜く外力Ｆが働いた場合、フレキシブルケーブル２０は、前述したようにフレキシブルケーブル２０の長穴２０ｈの回路基板側端部２０ｇが、フレキシブルケーブル保持部材５の突起部５ａと当接するまでしか移動せず、突起部５ａがフレキシブルケーブル２０の移動を規制することになる。このとき、突起部５ａと回路基板コネクタ３０ａの間のフレキシブルケーブル２０は、図１１中の２０ｆに示すように弛みを有しており、外力Ｆは、フレキシブルケーブル２０の回路基板側コネクタ２０ｂへは伝達されず、回路基板コネクタ３０ａとの間で電気的接続が外れることはない。
【００２８】
以上説明したとおり、本発明の実施例によれば、ＨＤＤ交換作業時にフレキシブルケーブルに外力が働いても、フレキシブルケーブルが回路基板コネクタから外れることはない。また、フレキシブルケーブル固定構造を簡素化でき、安価でサービス性の良いＨＤＤ記録装置を提供することができる。
【産業上の利用可能性】
【００２９】
ＨＤＤ記録装置の、本体とＨＤＤを接続するフレキシブルケーブルの固定構造に利用される。
【符号の説明】
【００３０】
５…フレキシブルケーブル保持部材、５ａ…突起部、５ｂ…頂部、５ｃ…水平面、６…ブラケット、７…固定部材、１０…筐体、１０ａ…筐体前面、１０ｂ…筐体扉、１０ｃ…シャシ、１０ｄ…保持部、２０…フレキシブルケーブル、２０ａ…ＨＤＤ側コネクタ、２０ｂ…回路基板側コネクタ、２０ｆ…フレキシブルケーブルの弛み、２０ｈ…長穴、２０ｇ…長穴の回路基板側端部、２０ｊ…長穴のＨＤＤ側端部、３０…回路基板、３０ａ…回路基板コネクタ、４０…ＨＤＤ、４０ａ…ＨＤＤコネクタ。
【図１】
2010287295.tif 000003
【図２】
2010287295.tif 000004
【図３】
2010287295.tif 000005
【図４】
2010287295.tif 000006
【図５】
2010287295.tif 000007
【図６Ａ】
2010287295.tif 000008
【図６Ｂ】
2010287295.tif 000009
【図７Ａ】
2010287295.tif 000010
【図７Ｂ】
2010287295.tif 000011
【図８】
2010287295.tif 000012
【図９Ａ】
2010287295.tif 000013
【図９Ｂ】
2010287295.tif 000014
【図１０】
2010287295.tif 000015
【図１１】
2010287295.tif 000016
【図１２】
2010287295.tif 000017
【図１３】
2010287295.tif 000018
【図１４】
2010287295.tif 000019